(57)【要約】【課題】  評価者が設定した画像の設定範囲内から色評価に必要な色評価用カラーチャートを簡易かつ短時間に作成する。【解決方法】  評価者が設定した評価範囲を所定領域に分割し、各分割領域ごとの色要素を色域テーブルとして記憶する。次に、各分割領域の色要素を既存色評価用カラーチャートに対応するデータと比較し、既存色評価用カラーチャートの中から一致するあるいは適合するパッチを抜き出す。【選択図】  図１１
2007208941.tif 000002
【特許請求の範囲】
【請求項１】
色評価に用いる色評価用カラーチャートの作成方法であって、
複数のパッチから構成される基準カラーチャートに対応する基準カラーチャートデータを取得する取得工程と、
画像を表示画面に表示する表示工程と、
前記表示された画像における色評価用カラーチャートの作成に使用する範囲を設定する設定工程と、
前記設定された範囲の画像データから前記設定された範囲の画像の色の特徴を現わす色要素を算出する算出工程と、
前記算出された色要素に相当するパッチデータを前記基準カラーチャートデータより抽出して、色評価用カラーチャートを作成する作成工程と、
を有することを特徴とする色評価用カラーチャートの作成方法。
【請求項２】
前記表示する画像は被評価用の画像であることを特徴とする請求項１に記載の色評価用カラーチャートの作成方法。
【請求項３】
前記表示する画像は色度図であることを特徴とする請求項１に記載の色評価用カラーチャートの作成方法。
【請求項４】
前記算出工程は、
前記設定された範囲を予め決められた大きさの領域に分割する分割工程と、
前記分割された各領域に対して各領域を代表する色要素を選択する選択工程とを有し、
前記作成工程では、前記分割された各領域に対して選択された色要素に相当するパッチデータを前記基準カラーチャートデータの中から抽出して、色評価用カラーチャートを作成することを特徴とする請求項１に記載の色評価用カラーチャートの作成方法。
【請求項５】
前記選択工程では、前記分割された各領域に含まれる中心のピクセルの色要素を各領域を代表する色要素とすることを特徴とする請求項４に記載の色評価用カラーチャートの作成方法。
【請求項６】
前記選択工程では、前記分割された各領域に含まれるピクセルの平均値の色要素を各領域を代表する色要素とすることを特徴とする請求項４に記載の色評価用カラーチャートの作成方法。
【請求項７】
前記設定工程では、ポインティングデバイスを用いて前記表示された画像から色評価用カラーチャートを作成するための範囲を設定することを特徴とする請求項１に記載の色評価用カラーチャートの作成方法。
【請求項８】
色評価に用いる色評価用カラーチャートを作成する情報処理装置であって、
複数のパッチから構成される基準カラーチャートに対応する基準カラーチャートデータを取得する取得手段と、
画像を表示画面に表示する表示手段と、
前記表示された画像における色評価用カラーチャートの作成に使用する範囲を設定する設定手段と、
前記設定された範囲の画像データから前記設定された範囲の画像の色の特徴を現わす色要素を算出する算出手段と、
前記算出された色要素に相当するパッチデータを前記基準カラーチャートデータより抽出して、色評価用カラーチャートを作成する作成手段と、
を有することを特徴とする情報処理装置。
【請求項９】
前記算出手段は、
前記設定された範囲を予め決められた大きさの領域に分割する分割手段と、
前記分割された各領域に対して各領域を代表する色要素を選択する選択手段とを有し、
前記作成手段では、前記分割された各領域に対して選択された色要素に相当するパッチデータを前記基準カラーチャートデータの中から抽出して、色評価用カラーチャートを作成することを特徴とする請求項８に記載の情報処理装置。
【請求項１０】
色評価に用いる色評価用カラーチャートを作成する情報処理装置の制御プログラムであって、
複数のパッチから構成される基準カラーチャートに対応する基準カラーチャートデータを取得する取得工程と、
画像を表示画面に表示する表示工程と、
前記表示された画像における色評価用カラーチャートの作成に使用する範囲を設定する設定工程と、
前記設定された範囲の画像データから前記設定された範囲の画像の色の特徴を現わす色要素を算出する算出工程と、
前記算出された色要素に相当するパッチデータを前記基準カラーチャートデータより抽出して、色評価用カラーチャートを作成する作成工程と、
を有することを特徴とする制御プログラム。
【請求項１１】
請求項１０に記載の制御プログラムをコンピュータ読み出し可能な形態で記憶する記憶媒体。
【発明の詳細な説明】
【技術分野】
【０００１】
本発明は色評価用カラーチャートの作成方法及びその情報処理装置に関し、例えば印刷物等の色再現評価を行う際に使用する色評価用カラーチャートの作成方法及びその情報処理装置に関する。
【背景技術】
【０００２】
例えば、従来の印刷物の色評価は、国際規格、業界団体にて定められたチャート、あるいは各印刷会社が独自に開発したカラーチャート等を用いて行われてきた。この色評価では、予め準備されているチャートを印刷し、印刷されたパッチを目視にて確認もしくは分光色差計や濃度計にて色度測定あるいは濃度測定を行い、その値が規格の範囲内に収まっているか否かを調べるという手法が取られていた。
【０００３】
このように、カラーチャートを用いて印刷機の状態の確認、インキの濃度の確認などを行ってきている。ここで、使用されている代表的なカラーチャートとしては、例えば、ＩＳＯ１２６４２（ＩＴ８. ７/３）や雑誌広告基準カラーパッチ(３８２パッチ)を用いている。これらのカラーチャートは全ての色再現を評価する場合に利用されている。
【特許文献１】特開２００３−１２５２１８号公報
【特許文献２】特開２００３−２９８８６２号公報
【発明の開示】
【発明が解決しようとする課題】
【０００４】
しかしながら、上記説明した従来技術には、以下に示すような種々の問題点がある。
【０００５】
既製の色評価用カラーチャートデータは、色空間全体を網羅することを目的として作成されているため、上記説明した色評価用のパッチの測定にはかなりの時間を要することとなる。そのため、例えば、全ての色を判断しなくて良い場合に従来の手法で色評価を行うと、判断しなくてもよいパッチの色に対しても色度測定あるいは濃度測定を行ってその値が規格の範囲内に収まっているか否かを調べる。そのため、測定時間が長くかかるばかりでなく測定結果の判定にも多くの時間がかかってしまうという問題を生じる。
【０００６】
また、既製の色評価用カラーチャートのパッチ数が多い場合は、印刷物の余白部に全てを印刷することが不可能なケースがでてくるという問題も生じる。
【０００７】
本発明は、上記説明した従来技術の問題点を解決し、評価者が設定した評価範囲内での色評価に必要な色評価用カラーチャートを簡易かつ短時間に作成する色評価用カラーチャートの作成方法及びその情報処理装置を提供する。
【課題を解決するための手段】
【０００８】
上記目的を達成するための本発明に係る色評価用カラーチャートの作成方法は、以下の構成を有する。すなわち、色評価に用いる色評価用カラーチャートの作成方法であって、複数のパッチから構成される基準カラーチャートに対応する基準カラーチャートデータを取得する取得工程と、画像を表示画面に表示する表示工程と、前記表示された画像における色評価用カラーチャートの作成に使用する範囲を設定する設定工程と、前記設定された範囲の画像データから前記設定された範囲の画像の色の特徴を現わす色要素を算出する算出工程と、前記算出された色要素に相当するパッチデータを前記基準カラーチャートデータより抽出して、色評価用カラーチャートを作成する作成工程と、を有することを特徴とする。
【０００９】
ここで、前記算出工程は、前記設定された範囲を予め決められた大きさの領域に分割する分割工程と、前記分割された各領域に対して各領域を代表する色要素を選択する選択工程とを有し、前記作成工程では、前記分割された各領域に対して選択された色要素に相当するパッチデータを前記基準カラーチャートデータの中から抽出して、色評価用カラーチャートを作成する。
【００１０】
上記目的を達成するための本発明に係る色評価用カラーチャートを作成する情報処理装置は、以下の構成を有する。すなわち、色評価に用いる色評価用カラーチャートを作成する情報処理装置であって、複数のパッチから構成される基準カラーチャートに対応する基準カラーチャートデータを取得する取得手段と、画像を表示画面に表示する表示手段と、前記表示された画像における色評価用カラーチャートの作成に使用する範囲を設定する設定手段と、前記設定された範囲の画像データから前記設定された範囲の画像の特徴を現わす色要素を算出する算出手段と、前記算出された色要素に相当するパッチデータを前記基準カラーチャートデータより抽出して、色評価用カラーチャートを作成する作成手段と、を有することを特徴とする。
【００１１】
ここで、前記算出手段は、前記設定された範囲を予め決められた大きさの領域に分割する分割手段と、前記分割された各領域に対して各領域を代表する色要素を選択する選択手段とを有し、前記作成手段では、前記分割された各領域に対して選択された色要素に相当するパッチデータを前記基準カラーチャートデータの中から抽出して、色評価用カラーチャートを作成する。
【発明の効果】
【００１２】
本発明によれば、評価者が設定した評価範囲内での色評価に必要な色評価用カラーチャートを簡易かつ短時間に作成する色評価用カラーチャートの作成方法及びその情報処理装置を提供できる。
【発明を実施するための最良の形態】
【００１３】
以下、本発明に係る本実施形態の色評価用カラーチャートを作成する装置及びその色評価用カラーチャートの作成方法について、添付の図面を参照して詳細に説明する。尚、本実施形態では、色評価用カラーチャートの作成の元となる画像として、色評価の対象である被色評価用画像の設定領域（第１及び第２実施形態）や色度図の設定領域（第３実施形態）の例を説明する。しかし、評価者が求める色評価用カラーチャートに基づいて、他の画像を色評価用カラーチャートの作成の元となる画像としたり、又、領域の設定の仕方を変えてもよく、これらも本発明に含まれる。
【００１４】
＜第１実施形態＞
［特徴］
本実施形態の色評価用カラーチャートの作成方法では、まず、(1)評価者が選択した画像における評価範囲を必要に応じて所望の分割数で分割する（例えばｍ×ｎに分割）。そして、分割した領域ごとに各色要素（例えば、分割領域の中心ピクセルの色要素、分割領域の色要素の平均値）を抽出して色域テーブルを作成する。次に、(2)作成した色域テーブルの各データと既存の基準カラーチャートデータを比較して、適合するもの（一致するもの）を基準カラーチャートデータから抽出する。その結果、本作成方法では、評価者が設定した画像の評価範囲内などの特定色の色評価を行う場合など全ての色を判断しなくても良い場合には、必要な色評価用カラーチャートを既存の基準色カラーチャートから抽出して使用することができる。
【００１５】
そのため、本作成方法で作成した色評価用カラーチャートを用いると、既存の基準カラーチャート全てを用いる場合に比べて、測定時間と測定結果を短縮することができるため、簡易かつ短時間に効率よく色評価を行うことができる。
【００１６】
また、本実施形態では上記(1)の色域テーブル作成する際に、選択された画像の範囲に適した手法で適切に色域テーブルを作成することができる。例えば、選択された範囲の画像の色が非常に狭い色域に納まっている場合には、評価範囲を分割して分割した各領域の色要素を算出する。その際、各領域の中心点の色要素を用いる。また、選択された評価画像の範囲内に色の系統は似ているが様々な色が混じり合っている場合には、突出した色要素を持つピクセルが選択されるのを防止するため上記分割された各領域の色要素を算出する。その際、各領域の平均値の色要素を用いる。そのため、画像に適した手法で適切に作成された色域テーブルを既存の基準カラーチャートデータと比較し適合するもののみを簡易かつ短時間に抽出することができる。
【００１７】
＜本実施形態の情報処理装置の構成例＞
以下、本実施形態の色評価用カラーチャート作成装置１０００の構成例について添付の図面を参照して詳細に説明する。
【００１８】
［色評価用カラーチャート作成装置：図１］
図１は、本実施形態の色評価用カラーチャート作成装置１０００のシステム構成の一例を示す図である。
【００１９】
ディスプレイ１００１上の画面は、自動生成された色評価用カラーチャートを表示するものである。色評価用カラーチャート作成装置本体１００２は、制御プログラムに基づいて、予め記憶媒体１００３に格納してある被評価画像をディスプレイ１００５上に表示する。
【００２０】
ディスプレイ１００５上に表示された被評価画像のユーザが選択した範囲内の画像に基づき、予め記憶媒体１００４に格納してある基準カラーチャートから選択されて作成された色評価用カラーチャートを記憶媒体１００４に保持する。
【００２１】
［色評価用カラーチャート作成装置の制御構成：図２］
図２は、本色評価用カラーチャート作成装置１０００の構成例を説明する図である。
【００２２】
ＣＰＵ１００２は、ＲＯＭ１００７に格納された制御プログラムに基づいてＲＡＭ１００６を作業領域に使用しながら各部を制御し、以下に述べる処理等を実行する。例えば、色域テーブルの作成、作成した色域テーブルに必要な色評価用カラーチャートを既存の基準カラーチャートから抽出する処理を実行する。入力部１００８は、キーボード、マウス、ポインティングディバイスなどから構成され、評価者が被評価画像及び色評価用範囲の選択などの際に使用する。１００５は、表示部であり、記憶媒体１００３に格納してある色評価用カラーチャート作成の元となる画像を表示する。ディスプレイ１００１上の画面には、本色評価用カラーチャート作成装置１０００によって記憶媒体１００４の基準カラーチャートから自動生成された色評価用カラーチャートが表示される。
【００２３】
＜第１実施形態の情報処理装置の動作例＞
以下、上記構成の色評価用カラーチャート作成装置１０００を用いて、上記説明した色域テーブルを作成し、作成した色域テーブルの各データを既存の基準カラーチャートと比較して、適合するものを既存の基準カラーチャートから抽出する処理について説明する。
【００２４】
［色域テーブルの作成処理：図３］
図３は、色評価用カラーチャート作成装置１０００を用いて、評価者が被評価画像より色評価用範囲を選択し、選択した範囲の色域テーブルを作成する処理を説明するフローチャートである。
【００２５】
なお、色域テーブルとは、評価者が本来評価を行いたい色域を被評価画像より抽出し、その結果をテーブルに格納したものである。この色域テーブルに基づいて図１１に示すように既存色評価用カラーチャートから選択した範囲に適合するパッチからなるチャートを抽出することができる。
【００２６】
まず、図３を用いて、選択した範囲の色域テーブルを作成する処理を説明する。ステップＳ２０００において、評価者が表示画面１００５に表示された評価画像群の中から評価したい被評価画像を選択する。
【００２７】
次に、ステップＳ２００１において、選択された被評価画像をあらかじめ記憶媒体に格納された画像の中から読み出してディスプレイ上の画面１００１に表示する。なお、評価画像の表示方法及び選択方法は上記の方法に限ることはなく、公知の方法を用いてもよい。
【００２８】
次に、ステップＳ２００２において、評価者が表示された被評価画像内の評価を行いたい画像範囲及び分割数（ｍ×ｎ）について、ポインティングデバイスを用いて選択した結果を受信する。図４は評価者が被評価画像から色評価用を行う範囲を選択した結果の一例を示す図である。図４に示すディスプレイ上の画面１００１において、表示された画像の左上部分の矩形にて囲まれている箇所が色評価用を行う範囲である。図の例ではこの色評価範囲を分割するときの分割数（ｍ×ｎ）を入力するためのエディットボックスが画像の右部分に表示される。図４の例では、エディットボックスに評価者が行数ｍ＝１０，列数ｎ＝１０を入力した場合（１０x１０の分割を行う場合）の結果が示されている。
【００２９】
次に、ステップＳ２００３では選択された範囲の色評価用画像に対して、３つのデータ処理の中から評価者が選択した画像に合わせて選択したデータ処理を行う。ここで、３つのデータ処理のうちの第１データ処理は、図５の（１）ステップＳ４０００に示す選択範囲の全ピクセルの色要素を用いる処理である。また、第２データ処理は、（２）ステップＳ５０００に示す選択範囲をＭ×Ｎの領域に分割し、分割された領域の中心値の色要素を用いる処理である。また、第３データ処理は（３）ステップＳ６０００に示す選択範囲をｍ×ｎの領域に分割し、分割された領域の平均値の色要素を算出して用いる処理である。
【００３０】
続いて、ステップＳ２００４では、３つのデータ処理の中から評価者が選択したデータ処理に基づいて得られる選択範囲の色域テーブルを作成する。このようにして、本実施形態の色評価用カラーチャート作成装置１０００では、評価者が被評価画像内の評価を行いたい画像範囲について、被評価画像範囲に適した色域テーブルを作成することができる。
【００３１】
次に、上記説明した図５のステップＳ４０００、Ｓ５０００、Ｓ６０００の３つの処理について、図６Ａ〜図９を用いて詳細に説明する。
【００３２】
［選択範囲の全ピクセルの色要素を用いる場合：図６Ａ］
図６Ａは図５のステップＳ４０００の処理である。ポインティングデバイスを用いて選択された範囲内の画像の全ピクセルに対する色要素の値を記録媒体に格納して記憶する方法である。この場合には、選択された範囲の全ピクセルの色要素を用いる。なお本手法は生成したいカラーチャートが特定の色域内にある場合に有効である。
【００３３】
すなわち、図５でＣＰＵ１００２は評価者が選択したデータ処理が第１処理であることを検知すると、ステップＳ４００１に進み、評価者が選択した評価範囲を受信する。続いて、ステップＳ４００２では、評価者が選択した評価範囲に含まれる全ピクセルの色要素を記憶する。
【００３４】
［選択範囲を分割して各中心値の色要素を用いる場合：図６Ｂ］
図６Ｂは図５のステップＳ５０００の処理である。この処理では、ポインティングデバイスを用いて選択された範囲をｍ×ｎ等分に分割し、各々分割された矩形範囲の中心点のピクセルをその分割された領域の代表値として採用する。そして、中心点のピクセルの色要素の値を記録媒体に格納して記憶する方法である。この方法は、図６Ａの方法よりデータ数を減らすことができる。
【００３５】
図６Ｂにおいて、ＣＰＵ１００２は評価者がデータ処理として第２データ処理を選択したことを検知すると、ステップＳ５００１に進み、評価者が選択した評価範囲と分割数（ｍ×ｎ、例えば、１０×１０）を受信する。
【００３６】
続いて、ステップＳ５００２では、評価者が選択した評価範囲を分割数（ｍ×ｎ、例えば、１０×１０）に分割する。次に、ステップＳ５００３において、分割された各矩形の中心のピクセルの色要素を色域テーブルデータ（ｍ×ｎ、例えば、１０×１０）として記憶する。
【００３７】
図９に記憶された色域テーブルデータ（１０×１０）の一例を示す。また、図７は、評価者が選択した画像の色評価範囲と算出された色域テーブルデータに基づいて色域テーブルをディスプレイの画面１００１に表示した状態を示す。図７の右側に評価者が選択した範囲におけるデータ処理（各矩形の中心ピクセルの色要素）結果を示す。
【００３８】
なお、本実施形態では、色域テーブルデータとして図９に示すようにデバイス固有のＣＭＹＫデータ（デバイスカラーデータ）の場合の例を示す。図９のＩＤはｍ×ｎに分割された領域を順に示す番号である。また、図９のＣＭＹＫ_Ｃは抽出したのシアンの値、ＣＭＹＫ_Ｍはマゼンタの値、ＣＭＹＫ_Ｙはイエローの値、ＣＭＹＫ_Ｋはブラックの値を示している。図９の色域テーブルを用いて、図１１で後述するように既存の標準カラーチャートから必要なパッチを抽出することができる。
【００３９】
［選択範囲を分割して各中心値の色要素を用いる場合：図６Ｃ］
図６Ｃは図５のステップＳ６０００の処理である。ポインティングデバイスを用いて選択された範囲をｍ×ｎ等分に分割し、各々分割された矩形範囲に含まれる全ピクセルの色要素の平均値を算出する。そして、算出された値をその領域の色要素として記録媒体に格納して記憶する方法である。この方法は、図６Ａの方法よりデータ数を減らすことができる。
【００４０】
図６Ｃにおいて、ＣＰＵ１００２は評価者がデータ処理として第３データ処理を選択したことを検知すると、ステップＳ６００１に進み、評価者が選択した評価範囲を受信する。続いて、ステップＳ６００２では、評価者が選択した評価範囲と分割数（ｍ×ｎ、例えば、１０×１０）を受信する。
【００４１】
続いて、ステップＳ６００２では、評価者が選択した評価範囲を分割数（ｍ×ｎ、例えば、１０×１０）に分割する。次に、ステップＳ６００３において、分割された各矩形内の各ピクセルの色要素の平均値がそれぞれ算出され、色域テーブルデータ（ｍ×ｎ、例えば、１０×１０）として記憶される。なお、算出される色域テーブルデータ（１０×１０）の図は省略するが、図９と類似するものである。
【００４２】
図８は、評価者が選択した画像の色評価範囲と算出された色域テーブルデータに基づいて色域テーブルをディスプレイの画面１００１に表示した状態を示す。図８の右側に評価者が選択した範囲におけるデータ処理（各矩形内ピクセルの平均値の色要素）結果を示す。
【００４３】
以上説明した、３つのデータ処理のいずれかの処理により、評価者が選択した画像の色評価範囲に適した色域テーブルデータが算出される。
【００４４】
［色域テーブルの作成処理：図１１］
次に、色評価用カラーチャート作成装置１０００を用いて、図３の処理により評価者が選択した色評価用範囲の色域テーブルに適した色評価用カラーチャートを既存の色評価用ラーチャートから抽出する処理について図１１のフローチャートを用いて説明する。
【００４５】
まず、図１０Ａに既存の標準カラーチャートデータの一例として、雑誌広告基準カラーパッチ(３８２パッチ)のデータを示す。また図１０Ｂは、図１０Ａの基となる雑誌広告基準カラーパッチ(３８２パッチ)である。既存の標準カラーチャートデータには、図１０Ａに示すように、デバイスカラーとそのデバイスカラーを規定する絶対色度値であるＸＹＺやＬ＊ａ＊ｂにおけるデータなどが内包されている。これは、デバイスカラーは機種やインキに依存するため、絶対色度値が必須となるからである。
【００４６】
次に、図１１を用いて、評価者が選択した被評価画像の選択された領域において使用されているデバイスカラーに近い値を持つパッチを、既存の標準カラーチャートの中から抽出する処理について説明する。
【００４７】
まず、ステップＳ１１０００において、抽出された色域テーブル（図３で作成されたもの）が選択される。
【００４８】
次に、ステップＳ１１００１において、ＣＰＵ１００２は抽出された色域テーブルより図９の様に格納された色要素の値のうちの一つの項目（例えば、ＩＤ１）が抜き出す。
【００４９】
次に、ステップＳ１１００２において、ＣＰＵ１００２は抜き出された色要素と適合する（数値が一致する）既存の標準カラーチャート内のパッチを探し出す。この詳細な処理は、図１２で後述する。
【００５０】
次に、ステップＳ１１００３において、ＣＰＵ１００２は抽出したパッチ情報を記憶媒体に格納し、次に、ステップＳ１１００４に進み、格納されたパッチ情報のうち、重複したパッチ情報を削除する。
【００５１】
次に、ステップＳ１１００５に進み、ＣＰＵ１００２はチャートデータとしてＩＤ順に並べ替えを行う。並べ替えとしては、例えば、既存カラーチャートがＩＤ番号を持っている場合はその番号に従い並べ替えを行い、既存カラーチャートがＩＤ番号を持っていない場合は、色相順に並べ替えを行う。
【００５２】
［パッチを探し出す処理の詳細：図１２］
図１２は、図１１のステップＳ１１００２のパッチを探し出す処理の詳細を説明する図である。
【００５３】
ステップＳ１２０００において、テーブル最終項Ｌ＝ｍ×ｎを設定する。次に、ステップＳ１２００１において、ｎ番目（ｎ＝１から開始）の抽出された色要素の値が入力されるとステップＳ１２００２に進み、ＣＰＵ１００２はｎ番目の抽出された色要素の値を既存の標準カラーチャートの各パッチ情報と比較する。
【００５４】
次に、ステップＳ１２００３に進み、ＣＰＵ１００２は一致するパッチが有るか否かを調べ、一致するパッチが無かった場合は、ステップＳ１２００３ａに進み、ｎに１を加えてからステップＳ１２００１に戻り、色域テーブルの次の項目について調べる。
【００５５】
一方、ステップＳ１２００３において一致するパッチが存在する場合にはステップＳ１２００４に進み、ＣＰＵ１００２は抽出したパッチ情報を記憶する。その後、ステップＳ１２００４ａに進み、ｎに１を加えてからステップＳ１２００１に戻り、色域テーブルの次の項目について調べる。この作業を色域テーブルの最終項Ｌ＝ｍ×ｎまで続けていく。なお、記憶したパッチ情報のうち、重複したパッチが存在する場合は一つにまとめる。
【００５６】
次に、ステップＳ１２００４において、色域テーブルの最終項Ｌ＝ｍ×ｎまで終了すると、ＣＰＵ１００２は既存の基準カラーチャートに内包されるＩＤの順にデータを並び替え、チャートデータを作成して一連の作業を終了する。
【００５７】
図１３に上記説明した処理により既存の標準カラーチャートから抽出したカラーチャートデータの一例を記載する。また、図１４に図１３に対応するカラーチャートの一例を示す。図１３及び図１４の場合には、図１０Ａに示す雑誌広告基準カラーパッチ(３８２パッチ)の中から評価者が選択した範囲（図４の左上の範囲）の色評価に適した１８個のパッチを抽出して使用することができる。
【００５８】
以上説明したように、本作成装置を用いると、評価者が設定した評価範囲内での色評価を行う場合など全ての色を判断しなくて良い場合には、その評価範囲に必要な色評価用カラーチャートを既存の標準カラーチャートから抽出して使用することができる。そのため、本色評価用カラーチャート作成装置で抽出した色評価用カラーチャートを用いると、既存の標準カラーチャート全てを用いる場合に比べて、測定時間と測定結果を短縮して、効率よく色評価を行うことができる。
【００５９】
＜第２実施形態＞
次に、第２実施形態の色評価用カラーチャートの作成方法について説明する。尚、本実施形態の色評価用カラーチャートの作成方法は、第１実施形態の色評価用カラーチャート作成装置１０００を用いる色評価用カラーチャートの作成方法と類似するものである。そこで以下の説明では、第１実施形態で説明したのと共通する部分の説明は省略し異なる点についてのみ説明する。
【００６０】
［特徴］
第１の実施形態では、評価者が選択した画像の評価範囲を必要に応じて所望の分割数で分割し（例えばｍ×ｎに分割）、分割した領域ごとに各色要素を抽出して色域テーブルを作成した。そして、作成した色域テーブルと既存の基準カラーチャートを比較して、一致するもののみを適合するものとして抽出して使用した。しかしながら、第１の実施形態では既存の基準カラーチャートに適合するものがないケースが発生することが予想される。
【００６１】
そこで、本実施形態では、作成した色域テーブルと既存の基準カラーチャートとを比較して、既存の基準カラーチャートに色域テーブルの色要素に近いパッチがあれば適合するものと見なして抽出して使用することができる。例えば、色域テーブルの色要素と既存の基準カラーチャートにおける色要素に近いパッチとの色度差がある色度差未満（しきい値Ｌｔ未満）であれば適合すると見なす。※物理的に距離を測れるわけではないので距離だと不明瞭です。そのため、本色評価用カラーチャート作成装置で抽出した色評価用カラーチャートを用いると、既存の標準カラーチャート全てを用いる場合に比べて、測定時間と測定結果を短縮して、効率よく色評価を行うことができる。
【００６２】
＜第２実施形態の情報処理装置の動作例＞
［パッチを探し出す処理の詳細：図１５］
図１５は、第１実施形態で説明した図１１のステップＳ１１００２のパッチを探し出す処理の詳細を説明する図である。
【００６３】
本実施形態では、図１６に示すように、パッチの検索を行うに当たり、色域テーブルのデータが既存の標準カラーチャートのパッチ（ＩＤｎ）に適合するか否かの判断を、両者の色要素の色度差がしきい値Ｌｔ未満か否かで判断する。例えば、図１６に示すように、色域テーブルのうちデータＡと既存の標準カラーチャートのパッチ（ＩＤｎ）の色度差がしきい値Ｌｔ未満であれば、データＡに適合するパッチとしてＩＤｎが抽出される。また、色域テーブルのデータと既存の標準カラーチャートのパッチ（ＩＤｎ）との色度差がしきい値Ｌｔよりも大きい場合には色域テーブルのデータに適合するパッチは無いとしてパッチは抽出されない。※図１６も訂正してください。
【００６４】
まず、ステップＳ１３０００において、テーブル最終項Ｌ＝ｍ×ｎが与えられる。次に、ステップＳ１３００１において、上記説明した最近値の算出方法が入力される。
【００６５】
次に、ステップＳ１３００２において、ｎ番目（ｎ＝１から開始）の抽出された色要素の値が入力されるとステップＳ１３００４に進み、指定した範囲にある最近値となるパッチを探す。すなわち、ｎ番目の抽出された色要素に最も色度値が近い既存の標準カラーチャートのパッチを検索する。
【００６６】
次に、ステップＳ１３００５に進み、ｎ番目の抽出された色要素に最も色度値が近い既存の標準カラーチャートのパッチとの２点間の色度差がしきい値Ｌｔより大きい場合には、一致しない（不適合）と判断してそのパッチを抽出しない。そして、ステップＳ１３００５ａに進み、ｎに１を加えてからステップＳ１３００２に戻る。
【００６７】
一方、ステップＳ１３００５において、ｎ番目の抽出された色要素に最も色度値が近い既存の標準カラーチャートのパッチとの２点間の色度値がしきい値Ｌｔ未満の場合には、ステップＳ１３００６に進み、一致する（適合する）と判断してそのパッチを抽出する。そして。ステップＳ１３００６ａに進み、ｎに１を加えてからステップＳ１３００２に戻る。なお、記憶したパッチ情報のうち、重複したパッチが存在する場合は一つにまとめる。
【００６８】
次に、ステップＳ１３００６において、色域テーブルの最終項Ｌ＝ｍ×ｎまで終了すると、既存の基準カラーチャートに内包されるＩＤの順にデータを並び替え、チャートデータを作成して一連の作業を終了する。
【００６９】
図１７に上記説明した処理により既存の標準カラーチャートから抽出したカラーチャートデータの一例を記載する。また、図１８に図１７に対応するカラーチャートの一例を示す。図１７及び図１８の場合には、図１０Ａに示す雑誌広告基準カラーパッチ(３８２パッチ)の中から評価者が選択した範囲（図４の左上の範囲）の色評価に適した７個のパッチを抽出して使用することができる。
【００７０】
以上説明したように、本作成装置によれば、評価者が設定した評価範囲内での色評価を行う場合など全ての色を判断しなくて良い場合には、その評価範囲に必要な色評価用カラーチャートを既存の標準カラーチャートから抽出して使用することができる。そのため、本色評価用カラーチャート作成装置で抽出した色評価用カラーチャートを用いると、既存の標準カラーチャート全てを用いる場合に比べて、測定時間と測定結果を短縮して、効率よく色評価を行うことができる。
【００７１】
＜第３実施形態＞
上記第１及び第２実施形態では、色評価用カラーチャートを色評価対象の被色評価用画像の設定領域から作成したが、本実施形態では、色評価用カラーチャート作成用の画像として、図１９に示す色度図を用いる。尚、本実施形態の色評価用カラーチャートの作成方法は、第１及び第２実施形態と同様なので、ここでは説明の重複を避ける。
【００７２】
本例では、評価者が設定する評価範囲として、図１９に一例を示すような矩形の範囲をとる。本実施形態によれは、第１及び第２実施形態のような色評価用カラーチャート作成用の画像の特徴による偏りのない、色度図の矩形範囲を現わす色評価用カラーチャートが作成できる。
【００７３】
＜他の実施形態＞
また、本発明の目的は、実施形態の機能を実現するソフトウェアのプログラムコードを記録した記憶媒体を、システム或いは装置に供給してもよい。その場合、そのシステム或いは装置のコンピュータ（またはＣＰＵやＭＰＵ等）が記憶媒体に格納されたプログラムコードを読み出して実行することによっても達成される。
【００７４】
この場合、記憶媒体から読み出されたプログラムコード自体が前述した実施の形態の機能を実現することになり、そのプログラムコード及び該プログラムコードを記憶した記憶媒体は本発明を構成することになる。
【００７５】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷを用いることができる。また、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００７６】
また、コンピュータが読み出したプログラムコードを実行することにより、上記実施の形態の機能が実現される。しかし、それ以外にも、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７７】
更に、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００７８】
また、コンピュータが読み出したプログラムコードを実行することにより、前述した各実施の形態の機能が実現される。これ以外にも、そのプログラムコードの指示に基づき、コンピュータ上で稼働しているＯＳなどが実際の処理の一部または全部を行い、その処理によって前述した各実施の形態の機能が実現される場合も、本発明に含まれることは言うまでもない。
【００７９】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【００８０】
上記実施の形態では、画像形成装置の印刷方式を電子写真方式とした場合を例に挙げたが、本発明は、電子写真方式に限定されるものではなく、インクジェット方式、熱転写方式、感熱方式、静電方式、放電破壊方式など各種印刷方式に適用することができる。
【００８１】
上記プログラムの形態は、オブジェクトコード、インタプリタにより実行されるプログラムコード、ＯＳ（オペレーティングシステム）に供給されるスクリプトデータ等の形態から成ってもよい。
【図面の簡単な説明】
【００８２】
【図１】色評価用カラーチャート作成装置のシステム構成の一例を示す図である。
【図２】色評価用カラーチャート作成装置の制御構成を説明する図である。
【図３】被評価画像より色評価用範囲を選択し、選択した範囲の色域テーブルを作成する処理を説明するフローチャートである。
【図４】被評価画像より色評価用範囲を選択した時の一例を説明する図である。
【図５】選択した範囲のデータ処理を説明するフローチャートである。
【図６Ａ】選択した範囲のデータ処理として、全ピクセルの色要素を記録する場合の処理を説明するフローチャートである。
【図６Ｂ】選択した範囲のデータ処理として、選択した範囲をｍ×ｎ分割し、各分割範囲の中心ピクセルの色要素を記録する場合の処理を説明するフローチャートである。
【図６Ｃ】選択した範囲のデータ処理として、選択した範囲をｍ×ｎ分割し、各分割範囲の色要素の平均値を記録する場合の処理を説明するフローチャートである。
【図７】図６Ｂのデータ処理をした場合の結果の一例を示す図である。
【図８】図６Ｃのデータ処理をした場合の結果の一例を示す図である。
【図９】図６Ｂのデータ処理で作成された色域テーブルの一例を示す図である。
【図１０Ａ】既存の標準カラーチャートのデータの一例を示す図である。
【図１０Ｂ】既存の標準カラーチャートの一例を示す図である。
【図１１】第１実施形態の既存の標準カラーチャートから選択範囲の色域テーブルに適したパッチを抽出する処理を説明するフローチャートである。
【図１２】図１１のＳ１１００２に示す抽出処理の詳細（第１実施形態）を説明するフローチャートである。
【図１３】パッチ抽出処理で既存の標準カラーチャートから抽出された色評価用カラーチャートデータの一例（第１実施形態）を示す図である。
【図１４】図１３に対応する抽出された色評価用カラーチャートの一例（第１実施形態）を示す図である。
【図１５】図１１のＳ１１００２に示す抽出処理の詳細（第２実施形態）を説明するフローチャートである。
【図１６】色域テーブルのデータから既存の基準カラーチャートの最近値を求める方法を説明する図である。
【図１７】パッチ抽出処理で既存の標準カラーチャートから抽出された色評価用カラーチャートデータの一例（第２実施形態）を示す図である。
【図１８】図１７に対応する抽出された色評価用カラーチャートの一例（第２実施形態）を示す図である。
【図１９】色評価用カラーチャート作成の元画像として色度図を用いる場合（第３実施形態）を示した図である。
【符号の説明】
【００８３】
１００１  自動生成するカラーチャートを表示するディスプレイ上の画面
１００２  カラーチャート作成装置
１００３  記憶媒体
１００４  記憶媒体
１００５  表示部
【図１】
2007208941.tif 000003
【図２】
2007208941.tif 000004
【図３】
2007208941.tif 000005
【図５】
2007208941.tif 000006
【図６Ａ】
2007208941.tif 000007
【図６Ｂ】
2007208941.tif 000008
【図６Ｃ】
2007208941.tif 000009
【図９】
2007208941.tif 000010
【図１０Ａ】
2007208941.tif 000011
【図１１】
2007208941.tif 000012
【図１２】
2007208941.tif 000013
【図１３】
2007208941.tif 000014
【図１５】
2007208941.tif 000015
【図１６】
2007208941.tif 000016
【図１７】
2007208941.tif 000017
【図４】
2007208941.tif 000018
【図７】
2007208941.tif 000019
【図８】
2007208941.tif 000020
【図１０Ｂ】
2007208941.tif 000021
【図１４】
2007208941.tif 000022
【図１８】
2007208941.tif 000023
【図１９】
2007208941.tif 000024